(57)【特許請求の範囲】
【請求項１】
用紙に画像を形成する画像形成装置と、
前記画像形成装置で画像形成された用紙に後処理を施す後処理装置と、
前記画像形成装置と前記後処理装置とを制御する制御部と、
を備える画像形成システムであって、
前記制御部は、
前記後処理が指定されたジョブについて試しプリントとして、前記画像形成装置において前記後処理に対応した状態で前記用紙に画像形成すると共に、画像形成された前記用紙に対して前記後処理装置において後処理を完成させない状態にして、該用紙を出力するよう制御し、
前記後処理が指定されたジョブについて、前記後処理装置において後処理を完成させない状態として前記用紙に後処理を一部分だけ施して仕掛かり状態とするか、および前記用紙に後処理を全く施さない状態とするかのいずれかを選択して制御する、
ことを特徴とする画像形成システム。
【請求項２】
前記制御部は、前記後処理を完成させない状態の前記用紙を、前記ジョブに対応して開始頁から終了頁に至る１つの部の用紙束として出力するよう制御する、
ことを特徴とする請求項１に記載の画像形成システム。
【請求項３】
前記用紙を排出する際の切替を行う排出切替部を備え、
前記制御部は、前記試しプリントと、該試しプリント以外のプリントとについて、前記用紙が排出される際に前記排出切替部を制御し、異なる状態で前記用紙が排出されるよう制御する、
ことを特徴とする請求項１−２のいずれか一項に記載の画像形成システム。
【請求項４】
前記用紙が排出される複数の排出部を有し、
前記制御部は、前記異なる状態として、異なる排出部に前記用紙が排出されるように、前記排出切替部を制御する、
ことを特徴とする請求項３に記載の画像形成システム。
【請求項５】
前記用紙が排出される少なくとも１つの排出部を有し、
前記制御部は、前記異なる状態として、同一の前記排出部において異なる位置に前記用紙が排出されるように、前記排出切替部を制御する、
ことを特徴とする請求項３に記載の画像形成システム。
【請求項６】
前記制御部は、指定された前記後処理において定められた条件を満たすように、前記画像形成装置での前記用紙の搬送や前記用紙への画像形成位置や画像形成順となるように前記画像形成装置を制御する、
ことを特徴とする請求項１−５のいずれか一項に記載の画像形成システム。
【請求項７】
前記制御部は、前記画像形成装置に対して接続されている前記後処理装置を識別し、識別された前記後処理装置に対応して前記排出切替部の切替を制御する、
ことを特徴とする請求項３−５のいずれか一項に記載の画像形成システム。
【請求項８】
前記制御部は、前記画像形成装置に対して接続されている前記後処理装置を識別し、識別された前記後処理装置に対応して予め定められた排出部となるよう前記排出切替部の切替を制御する、
ことを特徴とする請求項３，４，５，７のいずれか一項に記載の画像形成システム。
【請求項９】
前記制御部は、前記用紙に後処理を一部分だけ施して仕掛かり状態とするか、および前記用紙に後処理を全く施さない状態とするかのいずれかのオペレータによる選択を受け付ける、
ことを特徴とする請求項１−８のいずれか一項に記載の画像形成システム。
【請求項１０】
前記制御部は、後処理が指定されたジョブについて、前記用紙の後処理を完成させない状態で出力するか、前記用紙に後処理を施して完成させた状態で出力するか、いずれかを選択して制御する、
ことを特徴とする請求項１−９のいずれか一項に記載の画像形成システム。
【請求項１１】
用紙に画像を形成する画像形成装置と、前記画像形成装置で画像形成された用紙に後処理を施す後処理装置と、前記画像形成装置と前記後処理装置とを制御する制御部と、を備える画像形成システムを制御する、画像形成システム制御方法であって、
前記制御部は、
前記後処理が指定されたジョブについて試しプリントとして、前記画像形成装置において前記後処理に対応した状態で前記用紙に画像形成すると共に、画像形成された前記用紙に対して前記後処理装置において後処理を完成させない状態にして、該用紙を出力するよう制御し、
前記後処理が指定されたジョブについて、前記後処理装置において後処理を完成させない状態として前記用紙に後処理を一部分だけ施して仕掛かり状態とするか、および前記用紙に後処理を全く施さない状態とするかのいずれかを選択して制御する、
ことを特徴とする画像形成システム制御方法。
【請求項１２】
前記制御部は、前記後処理を完成させない状態の前記用紙を、前記ジョブに対応して開始頁から終了頁に至る１つの部の用紙束として出力するよう制御する、
ことを特徴とする請求項１１に記載の画像形成システム制御方法。
【請求項１３】
前記画像形成システムは、前記用紙を排出する際の切替を行う排出切替部を備え、
前記制御部は、前記試しプリントと、該試しプリント以外のプリントとについて、前記用紙が排出される際に前記排出切替部を制御し、異なる状態で前記用紙が排出されるよう制御する、
ことを特徴とする請求項１１−１２のいずれか一項に記載の画像形成システム制御方法。
【請求項１４】
前記画像形成システムは、前記用紙が排出される複数の排出部を有し、
前記制御部は、前記異なる状態として、異なる排出部に前記用紙が排出されるように、前記排出切替部を制御する、
ことを特徴とする請求項１３に記載の画像形成システム制御方法。
【請求項１５】
前記画像形成システムは、前記用紙が排出される少なくとも１つの排出部を有し、
前記制御部は、前記異なる状態として、同一の前記排出部において異なる位置に前記用紙が排出されるように、前記排出切替部を制御する、
ことを特徴とする請求項１３に記載の画像形成システム制御方法。
【請求項１６】
前記制御部は、指定された前記後処理において定められた条件を満たすように、前記画像形成装置での前記用紙の搬送や前記用紙への画像形成位置や画像形成順となるように前記画像形成装置を制御する、
ことを特徴とする請求項１１−１５のいずれか一項に記載の画像形成システム制御方法。
【請求項１７】
前記制御部は、前記画像形成装置に対して接続されている前記後処理装置を識別し、識別された前記後処理装置に対応して前記排出切替部の切替を制御する、
ことを特徴とする請求項１３−１５のいずれか一項に記載の画像形成システム制御方法。
【請求項１８】
前記制御部は、前記画像形成装置に対して接続されている前記後処理装置を識別し、識別された前記後処理装置に対応して予め定められた排出部となるよう前記排出切替部の切替を制御する、
ことを特徴とする請求項１３，１４，１５，１７のいずれか一項に記載の画像形成システム制御方法。
【請求項１９】
前記制御部は、前記用紙に後処理を一部分だけ施して仕掛かり状態とするか、および前記用紙に後処理を全く施さない状態とするかのいずれかのオペレータによる選択を受け付ける、
ことを特徴とする請求項１１−１８のいずれか一項に記載の画像形成システム制御方法。
【請求項２０】
前記制御部は、後処理が指定されたジョブについて、前記用紙の後処理を完成させない状態で出力するか、前記用紙に後処理を施して完成させた状態で出力するか、いずれかを選択して制御する、
ことを特徴とする請求項１１−１９のいずれか一項に記載の画像形成システム制御方法。
【発明の詳細な説明】
【技術分野】
【０００１】
本発明は、プリンタや軽印刷装置等の画像形成装置に各種用紙処理を実行する後処理装置が接続された画像形成システム、及びこのような画像形成システムを制御する画像形成システム制御方法に関する。
【背景技術】
【０００２】
画像形成装置の後段に後処理装置を接続して、画像形成された用紙束に対して中綴じ製本や糊付け製本を施して、製本された状態の冊子として出力する画像形成システムが存在している。
【０００３】
また、このような画像形成装置において、確認出力モードあるいは試しプリントと呼ばれる機能が存在しており、完成形の冊子と同じ状態の冊子を１部出力することが可能である。なお、これらの技術については、以下の特許文献にも提案がなされている。
【先行技術文献】
【特許文献】
【０００４】
【特許文献１】特開２００５−５９４３号公報
【特許文献２】特開２００７−２８１０５号公報
【発明の概要】
【発明が解決しようとする課題】
【０００５】
以上の特許文献１では、画像形成装置を確認出力モードで動作させる場合に、出力先の排出トレイを任意に指定可能なことが提案されている。但し、この特許文献１での提案は、画像形成装置でプリントした用紙の出力先を切り替えるだけであって、画像形成装置に後処理装置を接続する場合については配慮されていない。
【０００６】
また、以上の特許文献２では、印刷ジョブの試しプリントを実行する際に、印刷ジョブに指定されている印刷条件とは異なる試しプリント専用の印刷条件を適用して、試しプリントの確認を行うことが提案されている。ここでは、メディアあるいは画像像件を変更することで、試しプリントが実ジョブ内容と異なっている場合に、できるだけ実際の冊子に形態を合わせようとするものであった。
【０００７】
なお、後処理装置を含む画像形成システムでは、後処理が指定されている印刷ジョブに対して、各装置で搬送される用紙のページ順、用紙上の画像配置（画像位置、画像順、画像方向など）、また、対応用紙サイズ、束枚数（１冊子あたりの用紙枚数）などの条件が、後処理装置の機構条件や処理機能に関連付けられた形で、画像形成システムとして制御や禁則条件の管理がなされている。
【０００８】
また、後処理装置における冊子作成では、複数の冊子作成用の調整パラメータを持っている。そして、高品質な冊子作成を行うため、試しプリントにより冊子を出力して、冊子の状態確認と調整パラメータの変更とを行って、満足できる状態を確認してから本番プリントを実行するようにしている。
【０００９】
なお、後処理装置における冊子作成に必要な調整パラメータとしては、
Ａ：冊子作成を行うための基本的なパラメータ：整合のための用紙サイズ情報や、折り幅を決めるための用紙厚み情報等，
Ｂ：冊子作成の出来映えに関するパラメータ：綴じ位置や断裁量、ページ画像状態等，
が存在している。
【００１０】
そして、上記Ａに関しては、後処理実行前に用紙を計測して得たデータから調整パラメータを後処理装置に入力（画像形成装置から後処理装置への通信によるデータ授受、あるいは、オペレータによる後処理装置への手動入力）するようにしている。
【００１１】
また、上記Ｂに関しては、試しプリントにより作成された冊子の出来映えをオペレータが確認して、後処理装置に対して調整パラメータを入力あるいは変更するようにしている。
【００１２】
ところで、画像形成装置側に計測機能があり、画像形成装置と後処理装置とで各種パラメータの授受が可能に構成されている場合には、上記Ａについて自動入力が可能になる。
しかしながら、画像形成装置側に計測機能が無い場合、あるいは、画像形成装置と後処理装置とで、レディやビジーなど基本的なデータの授受は可能であるが、各種パラメータの授受まで完全にサポートされていない場合、などでは、上記Ａについて自動入力を実行できず、オペレータが後処理装置にパラメータを入力する必要がある。
【００１３】
一方、冊子作成などの後処理が指定されているジョブにおいて、完成した冊子ではなく、冊子になる前の用紙において断裁量やページ画像状態を確認したいという要求が発生する場合がある。これは、完成した冊子状態では確認しにくくなってしまう状況をオペレータが確認したい場合などに発生する。
【００１４】
また、１部だけの試しプリントのために糊付け製本における糊加熱時間の待ち時間を待つのが問題になる場合、あるいは、無駄を減らすために製本用糊やステープル針などの消耗資材を試しプリントに使用したくないといった要求がある場合などでも、最終的な冊子を作成せずに、未完成の用紙束の状態から後処理の状態を確認したいという要求が発生することがある。
【００１５】
ところで、後処理が指定されているジョブは、後処理を実行するという前提で、画像形成についても後処理に対応した状態（上述した、用紙のページ順、用紙上の画像配置（画像位置、画像順、画像方向）など）で実行されている。従って、後処理せずに出力するためにジョブから後処理の指定を外してしまうと、後処理に対応した状態ではない画像形成となってしまう。
【００１６】
なお、この後処理を伴わない１部の試しプリントの出力に対して、後処理を施す場合と同様な設定を画像形成装置側でオペレータが入力することは、極めて面倒であり現実的ではない。
【００１７】
このため、最終的な冊子を作成せずに未完成の用紙束の状態から後処理の状態を確認したいという上述した課題に対応することができなくなってしまうという問題がある。
本発明はこのような課題に鑑みてなされたものであって、最終的な冊子を完成させずに未完成の用紙束の状態から後処理の状態を正確に確認することが可能な、画像形成システム及び画像形成システム制御方法を実現することを目的とする。
【課題を解決するための手段】
【００１８】
（１）上述の課題を解決する一態様は、用紙に画像を形成する画像形成装置と、前記画像形成装置で画像形成された用紙に後処理を施す後処理装置と、前記画像形成装置と前記後処理装置とを制御する制御部と、を備える画像形成システム、または、この画像形成システムを制御する画像形成システム制御方法であって、前記制御部は、後処理が指定されたジョブについて試しプリントとして、前記画像形成装置において前記後処理に対応した状態で前記用紙に画像形成すると共に、画像形成された前記用紙に対して前記後処理装置において後処理を完成させない状態にして、該用紙を出力するよう制御し、前記後処理が指定されたジョブについて、前記後処理装置において後処理を完成させない状態として前記用紙に後処理を一部分だけ施して仕掛かり状態とするか、および前記用紙に後処理を全く施さない状態とするかのいずれかを選択して制御する。
【００１９】
（２）上記（１）において、前記制御部は、前記後処理を完成させない状態の前記用紙を、前記ジョブに対応して開始頁から終了頁に至る１つの部の用紙束として出力するよう制御する。
【００２０】
（３）上記（１）−（２）において、前記画像形成システムは、前記用紙を排出する際の切替を行う排出切替部を備え、前記制御部は、前記試しプリントと、該試しプリント以外のプリントとについて、前記用紙が排出される際に前記排出切替部を制御し、異なる状態で前記用紙が排出されるよう制御する。
【００２１】
（４）上記（３）において、前記画像形成システムは、前記用紙が排出される複数の排出部を有し、前記制御部は、前記異なる状態として、異なる排出部に前記用紙が排出されるように、前記排出切替部を制御する。
【００２２】
（５）上記（３）において、前記画像形成システムは、前記用紙が排出される少なくとも１つの排出部を有し、前記制御部は、前記異なる状態として、同一の前記排出部において異なる位置に前記用紙が排出されるように、前記排出切替部を制御する。
【００２３】
（６）上記（１）−（５）において、前記制御部は、指定された前記後処理において定められた条件を満たすように、前記画像形成装置での前記用紙の搬送や前記用紙への画像形成位置や画像形成順となるように前記画像形成装置を制御する。
【００２４】
（７）上記（３）−（５）において、前記制御部は、前記画像形成装置に対して接続されている前記後処理装置を識別し、識別された前記後処理装置に対応して前記排出切替部の切替を制御する。
【００２５】
（８）上記（３），（４），（５），（７）において、前記制御部は、前記画像形成装置に対して接続されている前記後処理装置を識別し、識別された前記後処理装置に対応して予め定められた排出部となるよう前記排出切替部の切替を制御する。
【００２６】
（９）上記（１）−（８）において、前記制御部は、前記用紙に後処理を一部分だけ施して仕掛かり状態とするか、および前記用紙に後処理を全く施さない状態とするかのいずれかのオペレータによる選択を受け付ける。
【００２７】
（１０）上記（１）−（９）において、前記制御部は、後処理が指定されたジョブについて、前記用紙の後処理を完成させない状態で出力するか、前記用紙に後処理を施して完成させた状態で出力するか、いずれかを選択して制御する。
【発明の効果】
【００２８】
（１）上述の課題を解決する一態様では、後処理が指定されたジョブについて試しプリントとして、画像形成装置において後処理に対応した状態で用紙に画像形成すると共に、画像形成された用紙に対して後処理装置において後処理を完成させない状態にして、該用紙を出力するよう制御部が画像形成システムを制御することにより、後処理に対応した状態で画像形成が実行されて出力されるため、最終的な冊子を完成させずに未完成の用紙束の状態から、後処理の状態を正確に確認することが可能になる。ここで、後処理装置において後処理を完成させない状態として、用紙に後処理を一部分だけ施して仕掛かり状態とするか、用紙に後処理を全く施さない状態とするか、いずれかを選択して制御するため、後処理を全く施さない状態と後処理を一部分だけ施す状態とを要望に応じて使い分けて、これらの用紙束の状態から後処理の状態を正確に確認することが可能になる。
【００２９】
（２）上記（１）において、制御部は、後処理を完成させない状態の用紙を、ジョブに対応して開始頁から終了頁に至る１つの部の用紙束として出力するよう制御するため、最終的な冊子を完成させることなく、冊子に対応する用紙束の状態から、後処理の状態を正確に確認することが可能になる。
【００３０】
（３）上記（１）−（２）において、画像形成システムは、用紙を排出する際の切替を行う排出切替部を備え、制御部は、試しプリントと、該試しプリント以外のプリントとについて、用紙が排出される際に排出切替部を制御し、異なる状態で用紙が排出されるよう制御するため、未完成の用紙束を確実に出力して、この用紙束の状態から、後処理の状態を正確に確認することが可能になる。
【００３１】
（４）上記（３）において、画像形成システムは、用紙が排出される複数の排出部を有し、制御部は、異なる状態として、異なる排出部に用紙が排出されるように、排出切替部を制御するため、未完成の用紙束を確実に出力して、この用紙束の状態から、後処理の状態を正確に確認することが可能になる。
【００３２】
（５）上記（３）において、画像形成システムは、用紙が排出される少なくとも１つの排出部を有し、制御部は、異なる状態として、同一の排出部において異なる位置に用紙が排出されるように、排出切替部を制御するため、未完成の用紙束を確実に出力して、この用紙束の状態から、後処理の状態を正確に確認することが可能になる。
【００３３】
（６）上記（１）−（５）において、制御部は、指定された後処理において定められた条件を満たすように、画像形成装置での用紙の搬送や用紙への画像形成位置や画像形成順となるように画像形成装置を制御するため、最終的な冊子を完成させずに、画像形成された用紙束の状態から、後処理の状態を正確に確認することが可能になる。
【００３４】
（７）上記（３）−（５）において、制御部は、画像形成装置に対して接続されている後処理装置を識別し、識別された後処理装置に対応して排出切替部の切替を制御するため、未完成の用紙束を確実に出力して、この用紙束の状態から、後処理の状態を正確に確認することが可能になる。
【００３５】
（８）上記（３），（４），（５），（７）において、制御部は、画像形成装置に対して接続されている後処理装置を識別し、識別された後処理装置に対応して予め定められた排出部となるよう排出切替部の切替を制御するため、未完成の用紙束を確実に出力して、この用紙束の状態から、後処理の状態を正確に確認することが可能になる。
【００３６】
（９）上記（１）−（８）において、制御部は、後処理が指定されたジョブについて、後処理装置において後処理を完成させない状態として、用紙に後処理を一部分だけ施して仕掛かり状態とするか、用紙に後処理を全く施さない状態とするか、いずれかをオペレータの選択に応じて制御するため、後処理を全く施さない状態と後処理を一部分だけ施す状態とを要望に応じて使い分けて、これらの用紙束の状態から後処理の状態を正確に確認することが可能になる。
【００３７】
（１０）上記（１）−（９）において、制御部は、後処理が指定されたジョブについて、用紙の後処理を完成させない状態で出力するか、用紙に後処理を施して完成させた状態で出力するか、いずれかを選択して制御するため、後処理を完成させない状態と後処理を完成させた状態とを要望に応じて使い分けて、これらの用紙束の状態から後処理の状態を正確に確認することが可能になる。
【図面の簡単な説明】
【００３８】
【図１】本発明の実施形態の画像形成システムの構成を示すブロック図である。
【図２】本発明の実施形態の画像形成システムの構成を示す構成図である。
【図３】本発明の実施形態の画像形成システムの構成を示すブロック図である。
【図４】本発明の実施形態の画像形成システムの構成を示す構成図である。
【図５】本発明の実施形態の画像形成の動作を示すフローチャートである。
【図６】本発明の実施形態の画像形成の動作時の表示画面例を示す説明図である。
【図７】本発明の実施形態の画像形成の動作を示すフローチャートである。
【図８】本発明の実施形態の画像形成の動作時の表示画面例を示す説明図である。
【図９】本発明の実施形態の画像形成の動作時の表示画面例を示す説明図である。
【図１０】本発明の実施形態の画像形成の動作時の表示画面例を示す説明図である。
【図１１】本発明の実施形態の画像形成の動作時の表示画面例を示す説明図である。
【発明を実施するための形態】
【００３９】
以下、図面を参照して本発明を実施するための形態（以下、実施形態）を詳細に説明する。
〔構成〕
図１〜図２を参照して、本実施の形態に係る画像形成装置と後処理装置とを備える画像形成システムの構成について説明する。
【００４０】
図１〜図２に示すように、この画像形成システムは、画像形成装置１００と、画像形成装置１００の後段にて用紙排出機能を用紙スタック機能とを備える後処理装置３００と、用紙処理機能を備える後処理装置４００と、を有している。
【００４１】
なお、この画像形成システムにおける各装置の接続は一例であって、この接続状態に限定されるものではない。
画像形成装置１００は、画像形成装置１００内の各部を制御すると共に後処理装置としてシステム全体を制御する制御部１０１と、接続されている他の装置と通信するための通信部１０２と、利用者による操作入力に応じた操作入力信号を制御部１０１に通知すると共に画像形成装置１００の状態表示とを行う操作表示部１０３と、制御プログラム及び各種設定データを記憶すると共に制御プログラムのワークエリアとして使用される記憶部１０４と、収容されている用紙を給紙する給紙部１０５と、給紙され画像形成される用紙を所定速度で搬送する搬送部１０７と、原稿をスキャンして画像データを生成する原稿読込部１２０と、画像形成する際のイメージデータや各種データを記憶する画像データ記憶部１３０と、画像形成に必要な各種画像処理を実行する画像処理部１４０と、画像形成命令と画像処理後のイメージデータとに基づいて画像形成（作像，転写，定着などの一連の動作を意味しており、総称して画像形成と呼ぶ）を実行する画像形成部１５０と、を備えて構成されている。なお、画像形成装置１００で画像形成された用紙は、後段の後処理装置３００に向けて搬出される。
【００４２】
後処理装置３００は、画像形成装置１００の後段に接続されており、後処理装置３００内の各部を制御する制御部３０１と、画像形成装置１００と通信するための通信部３０２と、制御プログラム及び各種設定データを記憶すると共に制御プログラムのワークエリアとして使用される記憶部３０４と、用紙を搬送する搬送経路を選択する搬送経路選択部３０５と、用紙処理された用紙束を排出させる排出経路を選択する排出経路選択部３０６と、用紙を所定速度で搬送する搬送部３１０と、排出すべき用紙をスタッカに積載する用紙積載部３２０と、排出すべき用紙をサブトレイ３９０ｓに排出するサブトレイ排出部３９０Ｓと、を備えて構成される。なお、後処理装置３００内を搬送された用紙は、後段の後処理装置４００に向けて搬出される。
【００４３】
後処理装置４００は、後処理装置３００の後段に接続されており、後処理装置４００内の各部を制御する制御部４０１と、画像形成装置１００や後処理装置３００等と通信するための通信部４０２と、利用者による操作入力に応じた操作入力信号を制御部４０１に通知すると共に後処理装置４００の状態表示とを行う操作表示部４０３と、制御プログラム及び各種設定データを記憶すると共に制御プログラムのワークエリアとして使用される記憶部４０４と、用紙を搬送する搬送経路を選択する搬送経路選択部４０５と、用紙処理された用紙束を排出させる排出経路を選択する排出経路選択部４０６と、用紙を所定速度で搬送する搬送部４１０と、用紙を中折り又は３つ折りに折る折り部４４０と、折られた複数枚の用紙を整合する整合部４５０と、折られて整合された用紙束を中綴じ製本のために綴じる中綴じ部４６０と、整合された用紙束を糊付け製本のために糊付けする糊付け部４７０と、中綴じされた用紙束の小口部分を断裁する断裁部４８０と、メイントレイ４９０ｍを排出先として用紙や冊子を排出するメイントレイ排出部４９０Ｍと、冊子排出トレイ４９０ｂを排出先として冊子を排出する冊子排出部４９０Ｂと、を備えて構成される。なお、図２の構成図において、折り部４４０と、整合部４５０と、中綴じ部４６０と、糊付け部４７０と、断裁部４８０とは、まとめた状態で示している。
【００４４】
なお、以上の構成において、排出経路選択部３０６，４０６は、用紙を排出する際の切替を行う排出切替部として動作する。
なお、図１〜図２に示される画像形成システムにおいて、後処理装置３００と後処理装置４００とは、図３〜図４に示されるように１台の後処理装置５００として構成されていても良い。図３〜図４に示される後処理装置５００において、後処理装置３００内の構成要素３ＸＸは後処理装置５００内の構成要素５ＸＸと対応し、後処理装置４００内の構成要素４ＸＸは後処理装置５００内の構成要素５ＸＸと対応する。よって、重複した各部の説明は省略する。
【００４５】
また、以上の後処理装置３００，４００，５００内の各用紙処理機能や各構成要素は一例であって、これらに限定されるものではない。すなわち、３台以上の後処理装置が接続される構成であっても良い。
【００４６】
〔実施形態の動作〕
以下、本実施形態の画像形成システム及び後処理装置並びに画像形成システム制御方法について、全体動作のフローチャート（図５）、表示画面説明図（図６）、及び詳細動作のフローチャート（図７）を参照して動作手順に従って説明する。なお、構成としては、図１〜図２の画像形成システムを具体例に用いる。
【００４７】
〔実施形態の全体動作〕
図５は本実施形態の画像形成システムにおける基本的な動作であるメインルーチンを示すフローチャートである。
【００４８】
なお、以下の説明で、制御部１０１の指示を受けた制御部３０１が後処理装置３００内各部を制御する場合や、制御部１０１の指示を受けた制御部４０１が後処理装置４００内各部を制御する場合も、制御部１０１の制御として説明する。
【００４９】
冊子作成等の後処理の指定を伴う画像形成、あるいは、後処理の指定を伴わない画像形成のジョブについて、画像データと制御データとを有するジョブデータが、通信部１０２経由で外部機器から画像形成装置１００に入力される（図５中のステップＳ１０１）。
【００５０】
このジョブデータは制御部１０１の制御により、画像データ記憶部１３０に記憶される。なお、ここでジョブとは、画像形成に関する一連の動作を指し、例えば、複数頁の画像を用紙上に形成して出力する場合には、その複数頁の画像形成に関する一連の動作が１ジョブである。また、複数頁の画像を用紙上に形成し後処理して出力する場合には、その複数頁の画像形成と後処理とに関する一連の動作が１ジョブである。なお、この実施形態では、後処理の指定を伴う画像形成のジョブであることを具体例とする。
【００５１】
そして、オペレータにより、操作部１０３あるいは外部機器を介して、画像データ記憶部１３０に記憶されている中から実行すべきジョブが選択され、実行の指示が入力される（図５中のステップＳ１０２）。なお、この際に、オペレータによって画像形成や後処理についての設定が操作表示部１０３から入力されても良い。
【００５２】
ここで、実行の指示としては、ジョブを「通常プリント実行」，「完成試しプリント実行」，「未完成試しプリント実行」のいずれか１つ又は複数であるとする。
「通常プリント実行」とは、画像形成と後処理とを実行することにより、予定されている完成品の印刷物、例えば、冊子形式の印刷物を出力することを意味している。
【００５３】
「完成試しプリント実行」とは、指示された画像形成と後処理とを実行することにより、予定されている完成品の印刷物、例えば、冊子形式の印刷物を、試しプリントとして出力することを意味している。なお、この試しプリントの出力部数は、通常プリント実行の出力部数にはカウントされない。
【００５４】
「未完成試しプリント実行」とは、本実施形態特有の処理であり、指示された画像形成と後処理とについて、後処理は未完成状態（後処理を全く実行しない状態、又は、後処理を一部分だけ実行する状態）とするものの、後処理を完全実行する場合と同じ制御条件で画像形成（又は、画像形成と一部分の後後処理）を実行することにより、完成品手前の用紙束形式の印刷物を、試しプリントとして出力することを意味している。なお、この試しプリントの出力部数は、通常プリント実行の出力部数にはカウントされない。また、一部分だけの後処理としては、中綴じ製本処理が指定されている場合に、整合や折り処理を実行して、ステープルで綴じない状態、あるいは、糊付け製本処理が指定されている場合に、整合された用紙束が糊付けされていない状態、などを意味する。
【００５５】
そして、オペレータにより、操作部１０３あるいは外部機器を介して、画像データ記憶部１３０に記憶されている中から実行すべきジョブが選択され、実行の指示が入力される（図５中のステップＳ１０２）。なお、この際に、オペレータによって画像形成や後処理についての設定が操作表示部１０３から入力されても良い。
【００５６】
図６は実行すべきジョブの選択と実行内容を指示する際に操作表示部１０３に表示される表示画面１０３Ａの一例である。
この表示画面１０３Ａにおいて、左下のジョブリスト欄１０３Ａ１には実行可能なジョブが一覧表示されている。ここでは、ジョブ番号００１のジョブが選択されて反転表示された状態になっている（図６中の１０３ａ１）。
【００５７】
また、この表示画面１０３Ａにおいて、右下の実行内容欄１０３Ａ２には実行すべきジョブにおける実行内容が選択可能に表示されている。ここでは、試しプリント（未完成：後処理無し状態）、試しプリント（未完成：仕掛かり状態）、試しプリント（完成状態）、通常プリントの４状態のうちの、試しプリント（未完成：後処理無し状態）が選択されてチェックマークが付された状態になっている（１０３ａ２）。
【００５８】
なお、この図６の表示画面において、「詳細設定」のタブを押下することで、ジョブ実行内容を更に細かく設定することも可能である。
また、図６の表示画面において、試しプリント（未完成：後処理無し状態）、試しプリント（未完成：仕掛かり状態）、試しプリント（完成状態）、通常プリントの４項目のうちの複数を選択することも可能である。複数項目を選択した場合には、選択された項目について、例えば、試しプリント（未完成：後処理無し状態）、試しプリント（未完成：仕掛かり状態）、試しプリント（完成状態）、通常プリントの順序で実行される。
【００５９】
なお、ジョブ番号００１（図６中の１０３ａ１）のジョブを、オペレータがポインティングデバイスを使用して、右クリックすることで、実行内容欄１０３Ａ２がポップアップウィンドウとして現れるような表示画面１０３であっても良い。
【００６０】
まず、制御部１０１は、オペレータから指示されたジョブ実行内容を判断する（図５中のステップＳ１０３）。このステップＳ１０３の判断では、未完成試しプリントを含む（未完成試しプリントのみ、未完成試しプリント＋完成試しプリント、未完成試しプリント＋通常プリント、未完成試しプリント＋完成試しプリント＋通常プリント）、完成試しプリントを含む（完成試しプリントのみ、完成試しプリント＋通常プリント）、通常プリントのみ、に振り分ける。そして、未完成試しプリントや完成試しプリントの実行後に、未だ実行していない指示があるかについて別途判断する。
【００６１】
オペレータから指示されたジョブ実行内容の判断（図５中のステップＳ１０３）により、通常プリント実行のみが指示されていれば（図５中のステップＳ１０３で「通常プリント」）、制御部１０１は、ジョブデータに含まれる制御データから抽出したパラメータにより画像形成装置１００や後処理装置３００〜４００各部の設定を行い（図５中のステップＳ１０４）、画像形成装置１００で画像形成した用紙に後処理装置３００〜４００で所定の後処理を施すことで、所定部数の通常プリントを実行するよう制御する（図５中のステップＳ１１４）。
【００６２】
オペレータからの実行指示（図５中のステップＳ１０２）が未完成試しプリント実行を含むと判断されれば（図５中のステップＳ１０３で「未完成試しプリント」）、制御部１０１は、実行指示されたジョブの画像形成と後処理とについて、後処理は未完成状態（後処理を全く実行しない状態、又は、後処理を一部分だけ実行する状態）とするものの、ジョブデータに含まれる制御データから抽出したパラメータ（後処理を完全実行する場合と同じ制御条件のパラメータ）により、画像形成装置１００や、一部分だけ実行する後処理に関する後処理装置３００〜４００各部の設定を行う（図５中のステップＳ１０５）。
【００６３】
そして、制御部１０１は、実行指示されたジョブの画像形成と後処理とについて後処理を完全実行する場合と同じ制御条件のパラメータを設定した状態で、画像形成装置１００で用紙に画像形成することで後処理無しの未完成試しプリントを実行するか、画像形成装置１００で用紙に画像形成すると共に後処理装置４００で一部の後処理を実行することで仕掛かり状態の未完成試しプリントを実行する（図５中のステップＳ１０６）。このような未完成試しプリントの実行により、後処理無しの状態で開始頁から終了頁に至る１つの部の用紙束、あるいは、一部分の後処理が実行した状態で開始頁から終了頁に至る１つの部の冊子が出力される。
【００６４】
なお、制御部１０１は、このような未完成試しプリントによる用紙束や冊子について、通常プリントの排出先とは異なる状態で排出するよう搬送経路と排出経路とを制御することで、未完成試しプリントによる用紙束や冊子からオペレータが後処理の状態を正確に確認し易くなる。
【００６５】
例えば、通常プリントの排出先が冊子排出トレイ４９０ｂである場合に、未完成試しプリントの出力である後処理無しの用紙束について、制御部１０１は、冊子排出トレイ４９０ｂとは別のサブトレイ３９０ｓに排出するように制御する。あるいは、通常プリントの排出先が冊子排出トレイ４９０ｂである場合に、未完成試しプリントの出力である仕掛かり状態の冊子について、制御部１０１は、同一の排出部に用紙を排出する際に排出状態の切替を行う排出切替部（図示せず）等を用いて、同じ冊子排出トレイ４９０ｂであっても排出進行方向と直交する方向に冊子がシフトした状態になるように排出を制御する。
【００６６】
但し、未完成試しプリントの用紙束と通常プリントの冊子とが連続して出力されない場合には、以上のようなシフト出力をせずに、試しプリントの用紙束や冊子を冊子排出トレイ４９０ｂに出力して構わない。
【００６７】
オペレータは、以上のような後処理無しの用紙束あるいは一部分の後処理が実行された仕掛かり状態の冊子により、整合のための用紙サイズ情報や、折り幅を決めるための用紙厚み情報等の冊子作成を行うための基本的なパラメータを確認したり、用紙上の画像位置を確認する（図５中のステップＳ１０７）。
【００６８】
これにより、冊子作成などの後処理が指定されているジョブにおいて、完成した冊子ではなく、冊子になる前の用紙において断裁量やページ画像状態を確認したいというオペレータの要求に応じて、完成した冊子状態では確認しにくくなってしまう状況の確認が可能になる。
【００６９】
そして、１部だけの試しプリントのために糊付け製本における糊加熱時間の待ち時間を発生させることもなく、また、製本用糊やステープル針などの消耗資材を試しプリントに使用する必要もなく、最終的な冊子を作成せずに、未完成の用紙束の状態から後処理の状態を確認することが可能になる。
【００７０】
さらに、後処理が指定されているジョブについて後処理の指定を外してプリントしたものとは異なり、後処理を完全実行する場合と同じ制御条件のパラメータを設定した状態で未完成試しプリントを実行しているため、後処理が行われるであろう直前の状態を正確に再現した状態の用紙束あるいは冊子を出力することができ、最終的な冊子を作成せずに、未完成の用紙束の状態から後処理の状態を確認することが可能になる。
【００７１】
そして、オペレータは、以上のようにして未完成試しプリントによる用紙束や冊子を確認し、用紙サイズ情報や用紙厚み情報等のパラメータを取得した場合には、操作表示部４０３からパラメータを入力して必要な設定を行う（図５中のステップＳ１０８）。
【００７２】
ここで、制御部１０１は、オペレータから指示されたジョブ実行内容を判断し（図５中のステップＳ１０９）、オペレータからの実行指示（図５中のステップＳ１０２）が未完成試しプリント実行のみであれば、実行指示された処理は完了しているため（図５中のステップＳ１０９で「完了」）、制御部１０１は一連の処理を終了する（図５中のエンド）。
【００７３】
オペレータからの実行指示（図５中のステップＳ１０２）が未完成試しプリントと通常プリントの実行であれば、実行指示された未完成試しプリント処理は完了しているため（図５中のステップＳ１０９で「＋通常プリント」）、制御部１０１は、画像形成装置１００で画像形成した用紙に後処理装置３００〜４００で所定の後処理を施すことで、所定部数の通常プリントを実行するよう制御する（図５中のステップＳ１１４）。
【００７４】
オペレータからの実行指示（図５中のステップＳ１０２）が未完成試しプリントと完成試しプリントの実行であれば（図５中のステップＳ１０９で「＋完成試しプリント」）、実行指示された未完成試しプリント処理は完了しているため、制御部１０１は、完成試しプリントを実行する（図５中のステップＳ１１１）。このような完成試しプリントの実行により、指示された画像形成と後処理とを実行することにより、予定されている完成品の印刷物、例えば、冊子形式の印刷物を、試しプリントとして出力する。
【００７５】
この完成試しプリントにより、完成試しプリントにより作成された冊子の出来映えをオペレータが確認する（図５中のステップＳ１１２）。完成試しプリントにより作成された冊子の出来映えに問題がないとオペレータにより判断されれば（図５中のステップＳ１１２でＹＥＳ）、制御部１０１は、オペレータから指示されたジョブ実行内容を判断する（図５中のステップＳ１１３）。なお、オペレータにより問題有りと判断された場合（図５中のステップＳ１１２でＮＯ）については後述する。
【００７６】
完成試しプリントで問題なしと判断された場合には（図５中のステップＳ１１２でＹＥＳ）、オペレータからの実行指示（図５中のステップＳ１０２）が未完成試しプリント＋完成試しプリントか、完成試しプリントのみであれば、実行指示された処理は完了しているため（図５中のステップＳ１１３で「完了」）、制御部１０１は一連の処理を終了する（図５中のエンド）。
【００７７】
オペレータからの実行指示（図５中のステップＳ１０２）が完成試しプリントと通常プリント、あるいは、未完成試しプリントと完成試しプリントと通常プリントの実行であれば、実行指示された未完成試しプリント処理や完成試しプリント処理は完了しているため（図５中のステップＳ１１３で「＋通常プリント」）、制御部１０１は、画像形成装置１００で画像形成した用紙に後処理装置３００〜４００で所定の後処理を施すことで、所定部数の通常プリントを実行するよう制御する（図５中のステップＳ１１４）。
【００７８】
オペレータからの実行指示（図５中のステップＳ１０２）が完成試しプリント実行を含むと判断されれば（図５中のステップＳ１０３で「完成試しプリント」）、制御部１０１は、ジョブデータに含まれる制御データから抽出したパラメータや画像形成装置１００内の計測部（図示せず）により自動計測されたパラメータにより、画像形成装置１００と後処理装置３００〜４００各部の設定を行う（図５中のステップＳ１１０）。そして、制御部１０１は、完成試しプリントを実行し（図５中のステップＳ１１１）、指示された画像形成と後処理とを実行することにより、予定されている完成品の印刷物、例えば、冊子形式の印刷物を、試しプリントとして出力する。
【００７９】
この完成試しプリントにより作成された冊子の出来映えをオペレータが確認し（図５中のステップＳ１１２）、作成された冊子の出来映えに問題があるとオペレータにより判断されれば（図５中のステップＳ１１２でＮＯ）、綴じ位置や断裁量、ページ画像状態等といった冊子作成の出来映えに関するパラメータを、操作表示部１０３や操作表示部４０３においてオペレータが修正する（図５中のステップＳ１１０）。
【００８０】
これ以後、オペレータによる完成試しプリント確認で問題なしと判断される（図５中のステップＳ１１２でＹＥＳ）まで、完成試しプリント実行（図５中のステップＳ１１１）、オペレータによる完成試しプリント確認（図５中のステップＳ１１２）、オペレータによるパラメータ設定（図５中のステップＳ１１０）、を繰り返す。
【００８１】
完成試しプリントで問題なしと判断された場合には（図５中のステップＳ１１２でＹＥＳ）、既に説明したように、制御部１０１は、オペレータからの実行指示（図５中のステップＳ１０２）に基づいて、通常プリントを実行するか、あるいは、処理を終了するよう制御する。
【００８２】
〔実施形態の詳細動作〕
図７は本実施形態の画像形成システムにおける試しプリントについての詳細動作を示すフローチャートである。
【００８３】
試しプリントの処理実行に際して、制御部１０１は、試しプリントを実行予定のジョブが後処理を伴うものであるか否かを判断する（図７中のステップＳ２０１）。
後処理の指定を伴わないジョブであれば（図７中のステップＳ２０１でＮＯ）、制御部１０１は、実行指示されたジョブの画像形成について、ジョブデータに含まれる制御データから抽出したパラメータ（通常の画像形成を実行する場合と同じ制御条件のパラメータ）により画像形成装置１００の設定を行う（図７中のステップＳ２０２）。そして、制御部１０１は、試しプリントとして画像形成装置１００により画像形成を実行し（図７中のステップＳ２０３）、画像形成された用紙束を後処理無し用の排出部に出力する（図７中のステップＳ２０４）。この場合、後処理無し用の排出部としては、例えば、サブトレイ３９０ｓや用紙積載部３２０のスタッカ等が該当する。
【００８４】
後処理の指定を伴うジョブであれば（図７中のステップＳ２０１でＹＥＳ）、制御部１０１は、実行予定の試しプリントが、後処理を完成させる完成試しプリントであるか、後処理を未完成とする未完成試しプリントであるかを判断する（図７中のステップＳ２０５）。
【００８５】
実行予定のジョブが完成試しプリントと判断されれば（図７中のステップＳ２０５でＹＥＳ）、制御部１０１は、実行指示されたジョブの画像形成と後処理とについて、ジョブデータに含まれる制御データから抽出したパラメータ（通常の画像形成と後処理を実行する場合と同じ制御条件のパラメータ）により、画像形成装置１００と後処理装置３００〜４００の設定を行う（図７中のステップＳ２０６）。そして、制御部１０１は、完成試しプリントとして画像形成装置１００により画像形成を実行し（図７中のステップＳ２０７）、画像形成された用紙に対して完成試しプリントとして指定された全ての後処理を後処理装置４００にて実行し（図７中のステップＳ２０８）、完成した冊子を後処理用の排出部に出力する（図７中のステップＳ２０９）。この場合、後処理有り用の排出部としては、例えば、冊子排出トレイ４９０ｂが該当する。
【００８６】
実行予定のジョブが未完成試しプリントと判断されれば（図７中のステップＳ２０５でＮＯ）、制御部１０１は、実行指示されたジョブの画像形成と後処理とについて、ジョブデータに含まれる制御データから抽出したパラメータ（通常の画像形成と後処理を実行する場合と同じ制御条件のパラメータ）により、画像形成装置１００と後処理装置３００〜４００の設定を行う（図７中のステップＳ２１０）。そして、制御部１０１は、未完成試しプリントとして画像形成装置１００により画像形成を実行する（図７中のステップＳ２１１）。更に、制御部１０１は、画像形成装置１００で画像形成された用紙を後処理無しの用紙束とするか、画像形成装置１００で画像形成された用紙に後処理装置４００で一部の後処理を実行することで仕掛かり状態の冊子とする（図７中のステップＳ２１２）。そして、制御部１０１は、以上の未完成試しプリントによる後処理無しの用紙束や仕掛かり状態の冊子を、完成試しプリントの冊子とは異なる状態で排出部に出力する（図７中のステップＳ２１３）。通常プリントや完成試しプリントの排出先が冊子排出トレイ４９０ｂであれば、制御部１０１は、後処理無しの用紙束をサブトレイ３９０ｓに排出するように制御し、仕掛かり状態の冊子を冊子排出トレイ４９０ｂにて排出進行方向と直交する方向にシフトさせた状態で排出するように制御する。また、一部の後処理が実行された用紙束や冊子をメイントレイ４９０ｍに排出可能な場合には、仕掛かり状態の冊子をメイントレイ４９０ｍに排出するように制御部１０１が制御しても良い。
【００８７】
〔実施形態の動作時における表示画面例〕
図８は本実施形態の画像形成システムにおけるジョブの処理実行内容と排出先設定とを表示する表示画面１０３Ａの一例を示している。
【００８８】
この表示画面１０３Ａにおいて、画像形成システムにおける各排出部をグラフィックで示す排出先表示部１０３Ａ１、選択ジョブの実行内容を示す実行内容表示部１０３Ａ２、選択ジョブの排出先を示す排出先表示部１０３Ａ３、が含まれている。
【００８９】
ここで、排出先表示部１０３Ａ１では、スタッカ、サブトレイ１、サブトレイ２、冊子トレイが排出先として選択しうることを画像形成システムの外観と共に示している。なお、冊子排出トレイ４９０ｂを、ここでは冊子トレイと呼ぶことにする。
【００９０】
また、実行内容表示部１０３Ａ２では、試しプリント（未完成、後処理無し状態）１０３ａ２１と、通常プリント（後処理有り）１０３ａ２４が選択ジョブであることを示している。
【００９１】
また、排出先表示部１０３Ａ３では、選択ジョブである試しプリント（未完成、後処理無し状態）１０３ａ２１に対応して、本来の後処理有り状態では冊子トレイだけが排出先であったのに、後処理無しの試しプリントであるためにスタッカとサブトレイ１とサブトレイ２が排出先選択肢として追加された状態になっている（図８中の１０３ａ３１）。
【００９２】
そして、選択ジョブである試しプリント（未完成、後処理無し状態）１０３ａ２１に対応する排出先はオペレータが選択しても良いが、後処理有りでの本来の排出先である冊子排出トレイとは異なる排出先を、初期状態として予め定めておいても良い。図８の例では、選択ジョブである試しプリント（未完成、後処理無し状態）１０３ａ２１に対応する排出先は、サブトレイ１が選択された状態を示している（図８中の１０３ａ３１１）。
【００９３】
また、試しプリント（未完成：仕掛かり状態）、試しプリント（完成状態）、通常プリント（後処理有り）では、製本処理等の後処理を実行するため、本来の排出先の冊子排出トレイのみが有効であり、他の排出先（スタッカ、サブトレイ１、サブトレイ２）は選択できない状態（無効状態）で表示されている（図８中の１０３ａ３ＧＬでのスタッカ、サブトレイ１、サブトレイ２のグレイアウト表示）。図８の例では、選択ジョブである通常プリント（後処理有り）１０３ａ２４に対応する排出先は、冊子トレイである状態を示している（図８中の１０３ａ３４）。
【００９４】
図９は本実施形態の画像形成システムにおけるジョブの処理実行内容と排出先設定とを表示する表示画面１０３Ａの他の一例を示している。この図９において、基本的な部分は図８と同様であるため、重複した説明は省略する。
【００９５】
例えば、用紙を冊子トレイに排出する際の切替を行う排出切替部（図示せず）等を用いて、同じ冊子排出トレイ４９０ｂであっても排出進行方向と直交する方向に冊子がシフトした状態になるように排出を制御する場合を想定する。
【００９６】
この場合、選択ジョブである試しプリント（未完成、仕掛かり状態）１０３ａ２２に対応する排出先はオペレータが選択しても良いが、後処理有りでの本来の排出先である冊子排出トレイとは異なる排出先を、初期状態として予め定めておいても良い。図９の例では、選択ジョブである試しプリント（未完成、仕掛かり状態）１０３ａ２１に対応する排出先は、冊子トレイ（シフト）が選択された状態を示している（図９中の１０３ａ３２）。また、図９の例では、選択ジョブである通常プリント（後処理有り）１０３ａ２４に対応する排出先は、冊子トレイである状態を示している（図９中の１０３ａ３４）。これにより、同一の冊子トレイに試しプリントと通常プリントとを出力する際にも、未完成試しプリントによる用紙束や冊子からオペレータが後処理の状態を正確に確認し易くなる。
【００９７】
但し、このような制御を行うには、後処理装置４００における排出切替部を画像形成装置１００の制御部１０１が認識し、かつ、制御可能であることが必要になる。また、後処理装置４００が、仕掛かり状態（例えば、最終的な中綴じの手前の中折り状態）の冊子又は用紙束を冊子トレイに排出できる機構であることも必要である。
【００９８】
図１０は本実施形態の画像形成システムにおけるジョブの処理実行内容と排出先設定とを表示する表示画面１０３Ａの更に他の一例を示している。この図１０の表示画面１０３Ａにおいて、画像形成システムにおける各排出部をグラフィックで示す排出先表示部１０３Ａ１、選択ジョブの実行内容を示す実行内容表示部１０３Ａ２、選択ジョブの排出先を示す排出先表示部１０３Ａ３、が含まれている。なお、この図１０において、基本的な部分は図８や図９と同様であるため、重複した説明は省略する。
【００９９】
また、図１０の実行内容表示部１０３Ａ２ではプリントとして「試し」と「通常」とが選択肢として存在し、後処理としては「中綴じ」が選択肢として存在し、後処理実行状態としては「なし」，「仕掛かり」，「完成」が従属的な選択肢として存在している。ここでは、試しプリント、中綴じ、仕掛かり状態が、選択ジョブであることを示している。
【０１００】
そして、排出先表示部１０３Ａ３では、選択ジョブである中綴じの仕掛かり状態の試しプリントに対応して、冊子トレイが排出先として選択された状態を示している。
図１１は本実施形態の画像形成システムにおけるジョブの処理実行内容と排出先設定とを表示する表示画面１０３Ａの更に他の一例を示している。この図１１において、基本的な部分は図１０と同様であるため、重複した説明は省略する。
【０１０１】
また、図１１の実行内容表示部１０３Ａ２ではプリントとして「試し」と「通常」とが選択肢として存在し、後処理としては「中綴じ」が選択肢として存在し、後処理実行状態としては「なし」，「仕掛かり」，「完成」が従属的な選択肢として存在している。ここでは、試しプリント、中綴じ、完成状態が、選択ジョブであることを示している。
【０１０２】
そして、排出先表示部１０３Ａ３では、選択ジョブである中綴じの完成状態の試しプリントに対応して、冊子トレイが排出先として選択された状態を示している。
なお、以上の操作表示部１０３における表示画面１０３Ａの具体例は一例であって、各種の変形が可能である。
【０１０３】
〔実施形態における効果〕
（１）以上説明した実施形態によると、後処理が指定されたジョブについて試しプリントとして、画像形成装置１００において後処理に対応した状態で用紙に画像形成すると共に、画像形成された用紙に対して後処理装置４００において後処理を完成させない状態にして、該用紙を出力するよう制御部１０１が画像形成システムを制御することにより、後処理に対応した状態で画像形成が実行されて出力されるため、最終的な冊子を完成させずに未完成の用紙束の状態から、後処理の状態を正確に確認することが可能になる。ここで、後処理装置において後処理を完成させない状態として、用紙に後処理を一部分だけ施して仕掛かり状態とするか、用紙に後処理を全く施さない状態とするか、いずれかを選択して制御するため、後処理を全く施さない状態と後処理を一部分だけ施す状態とを要望に応じて使い分けて、これらの用紙束の状態から後処理の状態を正確に確認することが可能になる。
【０１０４】
（２）上記（１）において、制御部１０１は、後処理を完成させない状態の用紙を、ジョブに対応して開始頁から終了頁に至る１つの部の用紙束として出力するよう制御するため、最終的な冊子を完成させることなく、冊子に対応する用紙束の状態から、後処理の状態を正確に確認することが可能になる。
【０１０５】
（３）上記（１）−（２）において、画像形成システムは、用紙を排出する際の切替を行う排出切替部３０６，４０６等を備え、制御部１０１は、試しプリントと、該試しプリント以外のプリントとについて、用紙が排出される際に排出切替部を制御し、異なる状態で用紙が排出されるよう制御するため、未完成の用紙束を確実に出力して、この用紙束の状態から、後処理の状態を正確に確認することが可能になる。
【０１０６】
（４）上記（３）において、画像形成システムは、用紙が排出される複数の排出部（用紙積載部３２０，サブトレイ３９０ｓ，メイントレイ４９０ｍ，冊子排出トレイ４９０ｂ）を有し、制御部１０１は、異なる状態として、異なる排出部（用紙積載部３２０，サブトレイ３９０ｓ，メイントレイ４９０ｍ，冊子排出トレイ４９０ｂ）のいずれかに用紙が排出されるように、排出切替部を制御するため、未完成の用紙束を確実に出力して、この用紙束の状態から、後処理の状態を正確に確認することが可能になる。
【０１０７】
（５）上記（３）において、画像形成システムは、用紙が排出される少なくとも１つの排出部（用紙積載部３２０，サブトレイ３９０ｓ，メイントレイ４９０ｍ，冊子排出トレイ４９０ｂ）を有し、制御部１０１は、異なる状態として、同一の排出部（用紙積載部３２０，サブトレイ３９０ｓ，メイントレイ４９０ｍ，冊子排出トレイ４９０ｂ）において異なる位置に用紙が排出されるように、排出切替部を制御するため、未完成の用紙束を確実に出力して、この用紙束の状態から、後処理の状態を正確に確認することが可能になる。
【０１０８】
（６）上記（１）−（５）において、制御部１０１は、指定された後処理において定められた条件を満たすように、画像形成装置１００での用紙の搬送や用紙への画像形成位置や画像形成順となるように画像形成装置１００を制御するため、最終的な冊子を完成させずに、画像形成された用紙束の状態から、後処理の状態を正確に確認することが可能になる。
【０１０９】
（７）上記（３）−（５）において、制御部１０１は、画像形成装置１００に対して接続されている後処理装置４００を識別し、識別された後処理装置４００に対応して排出切替部の切替を制御するため、未完成の用紙束を確実に出力して、この用紙束の状態から、後処理の状態を正確に確認することが可能になる。
【０１１０】
（８）上記（３），（４），（５），（７）において、制御部１０１は、画像形成装置１００に対して接続されている後処理装置４００を識別し、識別された後処理装置４００に対応して予め定められた排出部（用紙積載部３２０，サブトレイ３９０ｓ，メイントレイ４９０ｍ，冊子排出トレイ４９０ｂ）となるよう排出切替部の切替を制御するため、未完成の用紙束を確実に出力して、この用紙束の状態から、後処理の状態を正確に確認することが可能になる。
【０１１１】
（９）上記（１）−（８）において、制御部１０１は、後処理が指定されたジョブについて、後処理装置４００において後処理を完成させない状態として、用紙に後処理を一部分だけ施して仕掛かり状態とするか、用紙に後処理を全く施さない状態とするか、いずれかをオペレータの選択に応じて制御するため、後処理を全く施さない状態と後処理を一部分だけ施す状態とを要望に応じて使い分けて、これらの用紙束の状態から後処理の状態を正確に確認することが可能になる。
【０１１２】
（１０）上記（１）−（９）において、制御部１０１は、後処理が指定されたジョブについて、用紙の後処理を完成させない状態で出力するか、用紙に後処理を施して完成させた状態で出力するか、いずれかを選択して制御するため、後処理を完成させない状態と後処理を完成させた状態とを要望に応じて使い分けて、これらの用紙束の状態から後処理の状態を正確に確認することが可能になる。
【０１１３】
〔その他の実施形態〕
整合のための用紙サイズ情報や折り幅を決めるための用紙厚み情報等の冊子作成を行うための基本的なパラメータについて、後処理実行前に画像形成装置１００側で用紙を計測してデータを取得し、画像形成装置１００と後処理装置４００間の通信によって、計測されたデータを調整パラメータとして画像形成装置１００から後処理装置４００に入力可能な画像形成システムが存在している。
【０１１４】
このような画像形成システムにおいては、上述した未完成試しプリントを実行しなくとも、基本的なパラメータが設定される。しかし、オペレータの希望に応じて、図５の処理手順によって未完成試しプリントを適用することも可能である。
【０１１５】
また、以上の説明では、制御部１０１が各部を制御して実施形態の動作を実現していたが、これに限定されるものではない。すなわち、ネットワークで接続された外部ＰＣなどから上述した実施形態の制御を行うことも可能である。
【０１１６】
また、以上、本発明の実施形態を図面によって説明してきたが、具体的な構成や数値は実施形態に示したものに限られるものではなく、本発明の要旨を逸脱しない範囲における変更や追加があっても本発明に含まれる。
【符号の説明】
【０１１７】
１００  画像形成装置
１０１  制御部
１０２  通信部
１０４  記憶部
１０３  操作表示部
１０５  給紙部
１０７  搬送部
１３０  画像データ記憶部
１４０  画像処理部
１５０  画像形成部
３０１  制御部
３０２  通信部
３０４  記憶部
３０５  搬送経路選択部
３０６  排出経路選択部
３１０  搬送部
３２０  用紙積載部
３９０Ｓ  サブトレイ排出部
４００  後処理装置
４０１  制御部
４０２  通信部
４０４  記憶部
４０６  排出経路選択部
４１０  搬送部
４４０  折り部
４５０  整合部
４８０  断裁部
４９０ｍ  メイントレイ排出部
４９０ｂ  冊子排出トレイ
【図１】
0005846180.tif 000002
【図２】
0005846180.tif 000003
【図３】
0005846180.tif 000004
【図４】
0005846180.tif 000005
【図５】
0005846180.tif 000006
【図６】
0005846180.tif 000007
【図７】
0005846180.tif 000008
【図１０】
0005846180.tif 000009
【図１１】
0005846180.tif 000010
【図８】
0005846180.tif 000011
【図９】
0005846180.tif 000012